(57)【要約】【課題】  複数の対物レンズが装着された電動レボルバの対物レンズ転換に連動して開口絞り径が自動的に変更され、且つそれら複数の対物レンズ毎に開口絞り径の設定が容易に行える落射顕微鏡を安価に、またコンパクトに提供すること。【解決手段】  電動レボルバの各対物レンズ装着穴と対応する各々の選択手段を任意の位置に設定することで、予め記憶されている開口絞り径データの中から選択手段の位置に対応した開口絞り径が、電動レボルバの各装着穴に装着された対物レンズ毎に設定される。【選択図】      図１
2006145667.tif 000002
【特許請求の範囲】
【請求項１】
複数の対物レンズが装着され、これら複数の対物レンズの中から択一的に目的の対物レンズを光路上に位置決め可能な電動レボルバと、
複数の対物レンズに対応する一観察条件としての絞り径を設定可能な電動開口絞りを含む照明光学系と、
前記電動レボルバおよび前記電動開口絞りを駆動制御する制御手段と、
前記制御手段に対して前記電動レボルバの駆動指示を与える電動レボルバ操作手段と、
前記制御手段に対して前記電動開口絞りの開口絞り径の開および閉の指示を与える２つ以上の開口絞り径調節手段と、
前記複数の対物レンズに対応する開口絞り径を開口絞り径データとして記憶し、前記対物レンズの転換に連動して、光路上に入る対物レンズに対応する開口絞り径データが、前記制御手段によって読み出される記憶手段と、
前記電動レボルバが装着可能な対物レンズの数と同数以上有する、前記開口絞り径データを任意に選択可能な選択手段と、
を備えることを特徴とする落射顕微鏡。
【請求項２】
前記選択手段は、前記落射顕微鏡の本体に内蔵されていることを特徴とする請求項１に記載の落射顕微鏡。
【請求項３】
前記選択手段は、前記開口絞り径を一操作で設定可能な設定手段を有することを特徴とする請求項１または２に記載の落射顕微鏡。
【請求項４】
前記記憶手段は、前記開口絞り径データに加え、任意に前記電動レボルバの光路上への対物レンズの位置決めを無効に設定できる設定箇所を設けたことを特徴とする請求項１乃至３の何れか１項に記載の落射顕微鏡。
【請求項５】
前記選択手段は、前記落射顕微鏡の本体の外部から設定可能な位置に内蔵されていることを特徴とする請求項１乃至４の何れか１項に記載の落射顕微鏡。
【発明の詳細な説明】
【技術分野】
【０００１】
本発明は、光学顕微鏡に関するものであり、特に複数の対物レンズに対応して、照明光学系中の開口絞り径を容易に設定、変更することができる落射顕微鏡に関するものである。
【背景技術】
【０００２】
従来、光学顕微鏡における照明光学系にはケーラー照明光学系が用いられている。
図１１は、従来の落射顕微鏡の構成を示す図である。
図１１を用いて、ケーラー照明光学系を含む従来の落射顕微鏡の光学系について説明する。
【０００３】
光源２から出た光は、照明レンズ３、開口絞り４、視野絞り５、照明レンズ６を通り、観察キューブ７に入射する。観察キューブ７には明視野、暗視野、ＤＩＣ（微分干渉）、蛍光等の種類があるが、この観察キュープ７内で下方に反射され、レボルバに装着された複数の対物レンズ８のうち、光路に挿入されている対物レンズ８によりステージ９上の標本１０が照明される。
【０００４】
標本１０からの戻り光は、対物レンズ８を通り、観察キュープ７を透過して鏡筒１１に入り、鏡筒１１内の結像レンズ１２により結像され、観察者は接眼レンズ１３を通しての目視観察や、ＴＶポート１４から図示しないＣＣＤカメラ等によるモニタ観察で標本１０の観察を行う。標本１０へのピント合わせは、焦準ハンドル１５により、ステージ９を上下動させることで行われる。
【０００５】
ケーラー照明光学系では開口絞り４の位置と対物レンズ８の射出瞳の位置とが共役関係になっており、この開口絞り４の径を適切な径（通常は射出瞳径の７０〜８０％）に設定することで、最適な照明条件を得ることができる。開口絞り４の径が適切に設定されていない場合、対物レンズ８が持つ解像性能や観察像のコントラスト低下などを招き、正しい観察を行うことができない。
【０００６】
一般的な開口絞り４は、複数枚の円弧状の絞り羽根を光軸中心に対し円周上に配置して駆動させることで、その開口径を可変にすることができ、最適な照明条件を得るためには対物レンズ８毎にその絞り径を調整する必要がある。
【０００７】
ところが、実際の顕微鏡１の観察像（接眼レンズ１３またはＴＶポート１４から得られる像）には開口絞り像は現れないため、通常、開口絞り４の径の調整には「接眼レンズ１３を外して、直接対物レンズ８の射出瞳に投影された開口絞り像を見る」あるいは「接眼レンズ１３の代わりに望遠鏡を取り付けて、対物レンズ８の射出瞳に投影された開口絞り像を見る」といった方法が取られることが多い。
【０００８】
しかしながら、一般に対物レンズ８毎にその射出瞳径は異なり、観察中に対物レンズ８が転換される度に、上述の方法による開口絞り径の調整を行っていたのでは、その煩わしい操作のため観察者への負担が大きく、加えて調整の再現性という点で、同じ対物レンズ８であっても観察中のその時々で観察状態（照明条件）に違いが生じるという問題があった。
【０００９】
このような問題を回避するものとして、予め対物レンズに適切な開口絞り径が表示されており、目盛と指標が設けられた開口絞り径操作部をその表示された開口絞り径の数値に合うように操作すると、設定したい開口絞り径が得られるというものがある（例えば、特許文献１参照。）。
【００１０】
また、開口絞り径を含む各種の観察条件（視野絞り径、調光電圧等）の情報を先行して入力、記憶させておき、所定の対物レンズが光路に入ると、自動的に適した開口絞り径に変更されるというものがある（例えば、特許文献２参照。）。
【特許文献１】特開平６−２１４１６６号公報
【特許文献２】特開２００２−１３９６７６号公報
【発明の開示】
【発明が解決しようとする課題】
【００１１】
しかしながら、上記特許文献１に記載されたような方法では、調整の再現性は確保できるが、対物レンズの転換毎に開口絞り径を調整しなければならないため、観察者への負担が解消されたとは言えないという問題点があった。
【００１２】
また、上記特許文献２に記載されたような方法では、情報入力に際し専用のコントローラが必要であり、その操作も簡単なものでは無く、加えて顕微鏡本体以外にもスペースを必要とし、またコストもかかってしまうという問題点があった。
【００１３】
本発明は、上記従来技術の欠点に鑑みてなされたもので、複数の対物レンズが装着された電動レボルバの対物レンズ転換に連動して開口絞り径が自動的に変更され、且つそれら複数の対物レンズ毎に開口絞り径の設定が容易に行える落射顕微鏡を安価に、またコンパクトに提供することを目的とする。
【課題を解決するための手段】
【００１４】
本発明は、上記課題を解決するため、下記のような構成を採用した。
電動レボルバの各対物レンズ装着穴と対応する各々の選択手段を任意の位置に設定することで、予め記憶されている開口絞り径データの中から選択手段の位置に対応した開口絞り径が、電動レボルバの各装着穴に装着された対物レンズ毎に設定される。
【００１５】
観察中、操作スイッチにより対物レンズの転換が行われると、制御手段は選択手段により光路に入る対物レンズに設定されている開口絞り径データを記憶手段から読み出し、その開口絞り径となるように電動開口絞りが駆動される。
【００１６】
さらに、開口絞り径の設定は、各々の選択手段に対し一操作で行われる。
さらに、電動レボルバの各装着穴と対応する各々の選択手段により、対物レンズの光路上への位置決めを無効にする設定が、電動レボルバの各装着穴に装着された対物レンズ毎に設定される。
【００１７】
観察中、操作スイッチにより対物レンズの転換が行われた時、選択手段により光路に入る対物レンズの位置決めに無効が設定されていた場合は、その対物レンズは光路上に位置決めされずに、対物レンズの転換が継続される。
【００１８】
すなわち、本発明の一態様によれば、本発明の落射顕微鏡は、複数の対物レンズが装着され、これら複数の対物レンズの中から択一的に目的の対物レンズを光路上に位置決め可能な電動レボルバと、複数の対物レンズに対応する一観察条件としての絞り径を設定可能な電動開口絞りを含む照明光学系と、上記電動レボルバおよび上記電動開口絞りを駆動制御する制御手段と、上記制御手段に対して上記電動レボルバの駆動指示を与える電動レボルバ操作手段と、上記制御手段に対して上記電動開口絞りの開口絞り径の開および閉の指示を与える２つ以上の開口絞り径調節手段と、上記複数の対物レンズに対応する開口絞り径を開口絞り径データとして記憶し、上記対物レンズの転換に連動して、光路上に入る対物レンズに対応する開口絞り径データが、上記制御手段によって読み出される記憶手段と、上記電動レボルバが装着可能な対物レンズの数と同数以上有する、上記開口絞り径データを任意に選択可能な選択手段とを備えることを特徴とする。
【００１９】
また、本発明の落射顕微鏡は、上記選択手段が、上記落射顕微鏡の本体に内蔵されていることが望ましい。
また、本発明の落射顕微鏡は、上記選択手段が、上記開口絞り径を一操作で設定可能な設定手段を有することが望ましい。
【００２０】
また、本発明の落射顕微鏡は、上記記憶手段が、上記開口絞り径データに加え、任意に上記電動レボルバの光路上への対物レンズの位置決めを無効に設定できる設定箇所を設けたことが望ましい。
【００２１】
また、本発明の落射顕微鏡は、上記選択手段が、上記落射顕微鏡の本体の外部から設定可能な位置に内蔵されていることが望ましい。
【発明の効果】
【００２２】
本発明によれば、開口絞り径の設定に際し、本体以外に専用入力機器は不要であり、対物レンズの転換に連動して開口絞り径が、自動的に変更される落射顕微鏡を省スペース、低コストで提供することができる。
【００２３】
また、本発明によれば、開口絞り径の設定時に設定モード等に入る必要が無く、対物レンズ毎の開口絞り径の設定が一操作で行えるため、誤操作も少なく、観察時の観察者への負担を大きく軽減することができる。
【００２４】
また、本発明によれば、開口絞り径が自動変更されない観察も可能であり、より観察者のニーズに答えることができる。
また、本発明によれば、観察に使用しない対物レンズ、あるいは対物レンズが装着されていないレボルバ位置を無効にできるため、より効率の良い観察を行うことができる。
【発明を実施するための最良の形態】
【００２５】
以下、図面を参照しながら本発明の実施の形態について述べる。
図１は、本発明を適用した落射顕微鏡の構成を示す図であり、図２は、顕微鏡本体の前面パネルを示す図である。
【００２６】
図１においては、図１１を用いて説明した従来の落射顕微鏡と同一の構成要素には同一の符号を付し、その説明を省略する。
図１において、顕微鏡本体１には、複数の対物レンズ８が装着された電動レボルバ２１が取り付けられており、顕微鏡本体１内の照明光学系２２内には、図示しないモータによりその開口絞り径を変更可能な位置に電動開口絞り２３が内蔵されている。
【００２７】
また、顕微鏡本体１の側面部には、７個の回転スイッチ２４が観察者から操作可能に配置されている。顕微鏡本体１の正面パネル１aには、図示しないモータにより電動レボルバ２１を正方向に、あるいは逆方向に回転させ、対物レンズ８を転換させる対物レンズ転換スイッチ２５と、電動開口絞り２３の開口絞り径を任意に変更できる電動開口絞り調節スイッチ２６が観察者から操作可能に配置されている（図２参照）。
【００２８】
７個の回転スイッチ２４は、データ記憶部２７と結線されており、データ記憶部２７、電動レボルバ２１、電動開口絞り２３、対物レンズ転換スイッチ２５、電動開口絞り調節スイッチ２６は、それぞれ制御部２８と結線されている。
【００２９】
制御部２８およびデータ記憶部２７は、顕微鏡本体１に内蔵され、各構成要素間の配線は、顕微鏡本体１内部で成されている。そして、制御部２８は、電動レボルバ２１に内蔵されている図示しないセンサにより、現在光路に入っている対物レンズ８（正確には、対物レンズ８が装着されている装着穴）を認識することができる。
【００３０】
次に、回転スイッチ２４について詳細に説明する。
図３は、回転スイッチを説明するための図である。
図３において、回転スイッチ２４は、０〜Ｆまでの１６段数を持つ多段スイッチであり、中央の矢印部２４ａを回転させるという一操作で、１６段中の一つのスイッチ状態が決定する。
【００３１】
例えば、図３において、０番の位置から６番の位置に設定する場合は、破線の矢印で示すように回転させるだけでよい。スイッチの段数は特に１６段に限定されるものでは無いが、少なすぎれば設定できる開口絞り径が少なくなり、多すぎれば使われない開口絞り径が増えることになる。
【００３２】
また、本実施の形態では、回転スイッチは７個用いるが、これも７個に限定されるものではなく、電動レボルバ２１に装着可能な対物レンズ８の数以上あるのが望ましい。一般的な電動レボルバ２１の対物レンズ８の装着可能数は５〜７個であり、８個以上のものは稀である。
【００３３】
次に、電気的な構成を説明する。
図示しない電源スイッチを入れると、各電動構成要素に電力が通電され、初期化動作を行った後、観察状態となる。観察中は制御部２８の制御の下、各々の回転スイッチ２４が、電動レボルバ２１の対物レンズ装着穴に対応しており、これらの回転スイッチ２４が、それぞれデータ記憶部２７と結線され、データ記憶部２７に予め記憶されている開口絞り径データ群と回転スイッチ２４の設定位置により、電動レボルバ２１の各装着穴に取り付けられた対物レンズ７毎に開口絞り径が設定されることになる。
【００３４】
図４は、第１の実施の形態における開口絞り径データ群の一例を示す図であり、図５は、開口絞り径設定表の一例を示す図である。
制御部２８が、現在光路に入っている対物レンズ８に設定されている開口絞り径データをデータ記憶部２７から読み出し、電動開口絞り２３へ信号（図３中の電動開口絞り駆動量）を送出して電動開口絞り２３の図示しないモータを所定の動作量だけ駆動させることで、対物レンズ８の射出瞳に投影される開口絞り径が決定する。
【００３５】
観察者は、例えば、図５に示すような開口絞り径設定表に基づいて開口絞り径を設定する。図５中に○印で示した設定が、各対物レンズ８で最適な開口絞り径となる設定位置である。
【００３６】
電動レボルバ２１に取り付けられた複数の対物レンズ８に対して、対応する回転スイッチ２４を一回転操作で対物レンズ８に適した開口絞り径の位置にそれぞれ設定する。その設定が観察中であれば、制御部２８により各対物レンズ８に対して設定されている開口絞り径の設定値が変更され、現在光路に入っている対物レンズ８に対応する開口絞り径について新しい設定値が反映され、即時変更される。
【００３７】
他方、観察中でなければ、図示しない電源スイッチをＯＮにすると、各々現在の回転スイッチ２４の位置に対応した開口絞り径が設定され、現在光路に入っている対物レンズ８に対する開口絞り径は、制御部２８により電動開口絞り２３が駆動され、設定径に変更される。
【００３８】
観察中に対物レンズ転換スイッチ２５が押された時は、制御部２８により、対物レンズ転換スイッチ２５が押された方向に、電動レボルバ２１が回転し、次に光路に入る対物レンズ８に設定されている径になるように電動開口綴り２３が駆動される。
【００３９】
また、観察中に電動開口絞り調節スイッチ２６が押された場合は、回転スイッチ２４による設定径とは関係無く、開口絞り径は変更されるが、対物レンズ８が転換されたり、図示しない電源スイッチを入れ直したりすると、開口絞り径は回転スイッチ２４による設定径となる。ここで、回転スイッチが０番で開口絞りデータ（図４参照）が「非連動」の場合は、回転スイッチ２４で設定した径には制御されない。この状態で、電動開口絞り調節スイッチ２６により開口絞り径が調節されれば、回転スイッチ２４による設定径とは独立した開口絞り径での観察が行える。
【００４０】
次に、観察中に対物レンズ転換スイッチ２５が押された時、また観察中に現在光路に入っている対物レンズ８に対応する回転スイッチ２４が変更された時の電気的な作用について説明する。
【００４１】
図６は、第１の実施の形態における回転スイッチによる電動開口絞り制御処理の流れを示す図である。
ステップＳ１において、観察中に何れかの対物レンズ転換スイッチ２６が押されたか否かを判断し、押されたと判断した場合（ステップＳ１：Ｙ）は、ステップＳ２において、制御部２８が回転方向に電動レボルバ２１を回転させ、ステップＳ４へ進む。
【００４２】
他方、対物レンズ転換スイッチ２６が押されていないと判断した場合（ステップＳ１：Ｎ）は、ステップＳ３において、回転スイッチ２４が操作されたか否かを判断し、操作されたと判断されない場合（操作されていないと判断した場合（ステップＳ３：Ｎ））は、ステップＳ１に戻る。
【００４３】
他方、回転スイッチ２４が操作されたと判断された場合（ステップＳ３：Ｙ）は、ステップＳ４において、変更後の回転スイッチ２４に対応する開口絞りデータをデータ記憶部２７から読み出す。ただし、ステップＳ１で観察中に何れかの対物レンズ転換スイッチ２６が押されたと判断し、ステップＳ２で制御部２８が回転方向に電動レボルバ２１を回転させた後のステップＳ４においては、回転させた後の光路に入る対物レンズ８に設定されている開口絞り径データをデータ記憶部２７から読み出す。
【００４４】
そして、ステップＳ５において、読み出したデータが「非連動」（回転スイッチ２４が０番）であるか否かを判断する。ステップＳ４で読み出したデータが「非連動」であれば（ステップＳ５：Ｙ）、開口絞り径の変更は行わずにステップＳ１に戻り、他方「非連動」でなければ（ステップＳ５：Ｎ）、ステップＳ６において、設定された開口絞り径になるように電動開口絞り２３を駆動させる。
【００４５】
次に、図示しない電源スイッチを入れて、観察状態になるまでの電気的な作用について説明する。
図７は、第１の実施の形態における観察状態設定処理の流れを示すフローチャートである。
【００４６】
まず、ステップＳ１１において、図示しない電源スイッチが入れられると、ステップＳ１２において、電動レボルバ２１、電動開口絞り２３などの各電動構成要素に電力が通電され、初期化動作が行われる。そして、ステップＳ１３において、制御部２８は、現在光路に入っている対物レンズ８に対応する開口絞り径データをデータ記憶部２７から読み出し、ステップＳ１４において、読み出したデータが「非連動」（回転スイッチ２４が０番）であるか否かを判断する。ステップＳ１３で読み出したデータが「非連動」であれば（ステップＳ１４：Ｙ）、開口絞り径の変更は行わずに通常観察処理に進み、他方「非連動」でなければ（ステップＳ１４：Ｎ）、ステップＳ１５において、設定された開口絞り径になるように電動開口絞り２３を駆動させる。なお、図示しない電源スイッチをＯＦＦにすれば観察終了となる。
【００４７】
これにより、開口絞り径の設定に際し、顕微鏡本体１以外に専用入力機器は不要であり、対物レンズ８の転換に連動して開口絞り径が、自動的に変更される落射顕微鏡を省スペース、低コストで提供できる。また、開口絞り径の設定時にわざわざ設定モード等に入る必要が無く、対物レンズ８毎の開口絞り径の設定が一操作で行えるため、誤操作も少なく、観察時の観察者への負担を大きく軽減することができる。さらに、開口絞り径が自動変更されない観察も可能であり、より観察者のニーズに答えることができる。
【００４８】
なお、本第１の実施の形態においては、回転スイッチ２４を電動レボルバ２１に装着可能な対物レンズ８の数である７個を用いているが、一般に開口絞り径が適切に調整されるべきであるのは高倍対物レンズであることを考慮し、回転スイッチ２４の数を減らしてコストを抑えるという構成も、容易に適用可能である。
【００４９】
次に、本発明の第２の実施の形態を説明する。
本第２の実施の形態は、複数の対物レンズに対応した開口絞り径の設定と自動変更に加え、任意の対物レンズ（より正確には、対物レンズが装着されている装着穴）の光路上への位置決めを無効に設定できるようにしたものである。
【００５０】
本第２の実施の形態の全体構成および回転スイッチについては、第１の実施の形態の説明に用いた図１および図２と同様であるため、その説明を省略する。本第２の実施の形態が第１の実施の形態と異なる箇所は、回転スイッチ２４の設定箇所の一つに開口絞り径データではなく、電動レボルバ２１を制御するデータを加えたことである。
【００５１】
図８は、第２の実施の形態における開口絞り径データ群の一例を示す図である。
回転スイッチ２４は、１６段の多段スイッチであり、１６段中の一つに、各々の回転スイッチ２４に対応する電動レボルバ２１の対物レンズ装着穴に対する光路上での位置決めを無効にするための位置決め無効箇所３０が割り当てられている（回転スイッチ２４のＦの位置）。
【００５２】
これにより、電動レボルバ２１の対物レンズ装着数に対して、実際に装着している対物レンズ８が少ない場合、あるいは現在の観察において使用しない対物レンズ８がある場合は、対物レンズ８が装着されていない装着穴、及び使用しない対物レンズ８が装着された装着穴に対応した回転スイッチ２４の設定を位置決め無効箇所３０に設定する。
【００５３】
観察中に対物レンズ転換スイッチ２５が押された時は、制御部２８により、対物レンズ転換スイッチ２５が押された方向に、電動レボルバ２１が回転し、次に光路に入る対物レンズ８（より正確には、対物レンズ８が装着された装着穴）に対して、対応する回転スイッチ２４に位置決め無効が設定されている場合は、制御部２８により電動レボルバ２１の転換動作が継続される。
【００５４】
また、観察を始めるために図示しない電源スイッチをＯＮにした時、各々現在の回転スイッチ２４の位置に対応した開口絞り径が設定されるが、現在光路に入っている対物レンズ８に対する回転スイッチ２４に位置決め無効が設定されている場合は、制御部２８により電動レボルバ２１の転換動作が行われる。ここで、全ての回転スイッチ２４で位置決め無効が設定されると観察が行えないため、制御部２８は図示しない表示器によるエラー表示や、図示しないブザーによる警告音を発し、観察者に異常を知らせる。エラー状態からの復帰は、図示しない電源スイッチを切り、回転スイッチ２４の位置決め無効設定を一つ以上解除してから、再び図示しない電源スイッチをＯＮにすれば良い。
【００５５】
また、観察中に現在光路に入っている対物レンズ８に対応する回転スイッチ２４を位置決め無効に変更したい場合は、対物レンズ転換スイッチ２５により一度光路から外してから設定する。光路に入っている状態で位置決め無効箇所に設定すると、図示しない表示器やブザーによりエラー状態を示し、観察者に異常を知らせる。エラー状態からの復帰は、上記と同様に図示しない電源スイッチを切り、回転スイッチ２４の位置決め無効設定を解除してから、再び図示しない電源スイッチをＯＮにする。
【００５６】
ここで、開口絞り径が設定されている回転スイッチ２４が一つだけで、それ以外は位置決め無効が設定されている場合は、対物レンズ転換スイッチ２５を押しても電動レボルバ２１は転換されない。
【００５７】
次に、電源スイッチを入れて、観察状態になるまでの電気的な作用について説明する。
図９は、第２の実施の形態における観察状態設定処理の流れを示すフローチャートである。
【００５８】
図７を用いて説明した第１の実施の形態における観察状態設定処理と同様のステップには同じステップ番号を付している。
まず、図示しない電源スイッチを入れ（ステップＳ１１）、初期化動作（ステップＳ１２）の後、ステップＳ２１において、回転スイッチ２４が全て無効位置であるか否かを判断する。
【００５９】
ステップＳ２１で回転スイッチ２４が全て無効位置であったと判断した場合（ステップＳ２１：Ｙ）は、ステップＳ２２において、エラー処理を行う。他方、ステップＳ２１で回転スイッチ２４が全て無効位置であったと判断しなかった場合（ステップＳ２１：Ｎ）は、ステップＳ１３において、現在光路に入っている対物レンズ８に対応する開口絞り径データをデータ記憶部２７から読み出す。
【００６０】
次に、ステップＳ２３において、光路に対応する回転スイッチ２４が対物レンズ無効位置であるか否かを判断し、無効位置であると判断した場合（ステップＳ２３：Ｙ）は、ステップＳ２４において、電動レボルバ２１を転換した後、ステップＳ１３に戻る。
【００６１】
他方、光路に対応する回転スイッチ２４が対物レンズ無効位置でないと判断した場合（ステップＳ２３：Ｎ）は、ステップＳ１４において、回転スイッチ２４が「非連動」であるのか否かの判定を行う。
【００６２】
ステップＳ１４で「非連動」でないと判断された場合（ステップＳ１４：Ｎ）は、ステップＳ１５において、設定された開口絞り径になるように電動開口絞り２３を駆動させる。他方、「非連動」でないと判断されなかった場合（「非連動」であると判断された場合（ステップＳ１４：Ｙ））は、開口絞り径の変更は行わない。
【００６３】
次に、観察中に対物レンズ転換スイッチ２５が押された時、また観察中に現在光路に入っている対物レンズ８に対応する回転スイッチ２４が変更された時の電気的な作用について説明する。
【００６４】
図１０は、第２の実施の形態における回転スイッチによる電動開口絞り制御処理の流れを示す図である。
図６を用いて説明した第２の実施の形態における観察状態設定処理と同様のステップには同じステップ番号を付している。
【００６５】
観察中、何れかの対物レンズ転換スイッチ２６が押されると（ステップＳ１：Ｙ）、ステップＳ３１において、制御部２８は無効に設定されてない回転スイッチ２４が２つ以上あるか判定する。
【００６６】
無効に設定されてない回転スイッチ２４が１つしか無い場合（ステップＳ３１：Ｙ）は、現在の位置以外は全て無効であるため、何も処理を行わず通常観察に戻る。他方、無効に設定されてない回転スイッチ２４が２つ以上ある場合（ステップＳ３１：Ｎ）は、電動レボルバ２１を転換（ステップＳ２）した後、ステップＳ３２において、次に光路に入る対物レンズ８に設定されている開口絞りデータをデータ記憶部２７から読み出す。そして、ステップＳ３３において、光路に対応する回転スイッチ２４が対物レンズ無効位置か否かを判断する。無効位置であれば（ステップＳ３３：Ｙ）、ステップＳ２に戻り、無効位置ではない場合は通常観察に戻る。
【００６７】
他方、対物レンズ転換スイッチ２６が押されず（ステップＳ１：Ｎ）、観察中、現在光路に入っている対物レンズに対応する回転スイッチ２４が変更されると（ステップＳ３：Ｙ）、制御部２８は変更後の開口絞り径データをデータ記憶部２７から読み出す（ステップＳ４）。そして、それが無効位置だった場合（ステップＳ３４：Ｙ）は、ステップＳ３５において、エラー処理を行う。他方、無効位置ではなかった場合（ステップＳ３４：Ｎ）は、回転スイッチが「非連動」であるかの判定を行い（ステップＳ５）、「非連動」でなければ設定された開口絞り径になるように電動開口絞り２３を駆動させる（ステップＳ６）。「非連動」の場合は開口絞り径の変更は行わない。
【００６８】
そして、第１の実施の形態と同様、どの場合でも図示しない電源スイッチをＯＦＦにすれば観察終了となる。
これにより、上記第１の実施の形態の効果に加えて、観察に使用しない対物レンズ８、あるいは対物レンズ８が装着されていないレボルバ位置を無効にできるため、より効率の良い観察を行うことができる。
【００６９】
なお、本第２の実施の形態ではエラー処理を、全て電源スイッチの入れ直しとしたが、勿論これに限るものではなく、エラー状態からの復帰という点において逸脱しない処理であれば、どのような処理も適用可能である。
【００７０】
また、他の制御、処理についてもこれに限るものではなく、同じ作用を持つものであれば適用可能である。
また、第１の実施の形態及び第２の実施の形態において、回転スイッチ２４の配置は顕微鏡本体１の側面としているが、その場所はこれに限るものではなく、顕微鏡本体１に内蔵して観察者の操作に差し支えなければどこでも構わない。
【００７１】
さらに、各回転スイッチ２４に対する開口絞り径データ群は１種類である必要は無く、各回転スイッチ２４で異なるものであっても勿論構わない。
以上、本発明の各実施の形態を、図面を参照しながら説明してきたが、本発明が適用される落射顕微鏡は、その機能が実行されるのであれば、上述の各実施の形態等に限定されることなく、単体の装置であっても、複数の装置からなるシステムあるいは統合装置であってもよいことは言うまでもない。
【００７２】
すなわち、本発明は、以上に述べた各実施の形態に限定されるものではなく、本発明の要旨を逸脱しない範囲内で種々の構成または形状を取ることができる。
【図面の簡単な説明】
【００７３】
【図１】本発明を適用した落射顕微鏡の構成を示す図である。
【図２】顕微鏡本体の前面パネルを示す図である。
【図３】回転スイッチを説明するための図である。
【図４】第１の実施の形態における開口絞り径データ群の一例を示す図である。
【図５】開口絞り径設定表の一例を示す図である。
【図６】第１の実施の形態における回転スイッチによる電動開口絞り制御処理の流れを示す図である。
【図７】第１の実施の形態における観察状態設定処理の流れを示すフローチャートである。
【図８】第２の実施の形態における開口絞り径データ群の一例を示す図である。
【図９】第２の実施の形態における観察状態設定処理の流れを示すフローチャートである。
【図１０】第２の実施の形態における回転スイッチによる電動開口絞り制御処理の流れを示す図である。
【図１１】従来の落射顕微鏡の構成を示す図である。
【符号の説明】
【００７４】
１        顕微鏡本体
１ａ      正面パネル
２        光源
３        照明レンズ
４        開口絞り
５        視野絞り
６        照明レンズ
７        観察キューブ
８        対物レンズ
９        ステージ
１０      標本
１１      鏡筒
１２      結像レンズ
１３      接眼レンズ
１４      ＴＶポート
１５      焦準ハンドル
２１      電動レボルバ
２２      照明光学系
２３      電動開口絞り
２４      回転スイッチ
２４ａ    矢印部
２５      対物レンズ転換スイッチ
２６      電動開口絞り調節スイッチ
２７      データ記憶部
２８      制御部
３０      位置決め無効箇所
【図１】
2006145667.tif 000003
【図２】
2006145667.tif 000004
【図３】
2006145667.tif 000005
【図４】
2006145667.tif 000006
【図５】
2006145667.tif 000007
【図６】
2006145667.tif 000008
【図７】
2006145667.tif 000009
【図８】
2006145667.tif 000010
【図９】
2006145667.tif 000011
【図１０】
2006145667.tif 000012
【図１１】
2006145667.tif 000013